(57)【要約】【課題】より迅速に異常過熱を検知することができる壁掛型暖房機を提供する。【解決手段】壁に当てられるケース本体２５と、このケース本体２５の上半部から室内へ延びているサブケース２６と、このサブケース２６の前面を覆う前カバー２７とからなり、ケース本体２５の下部２５ａとサブケース２６の底２６ａとで、ヒーター１５、１６及び反射板３０の収納部を形成した壁掛型暖房機１０であって、反射板３０の上縁に沿った位置にてサブケース２６の底２６ａに、通孔２９が設けられており、サブケース２６内で且つ通孔２９の上方に、過熱状態を検知しヒーター１５、１６への給電を停止する過熱検知素子２１が配置されている。【効果】熱気は、通孔を通って過熱検知素子に直接到達する。ヒーター等の異常過熱は、筐体の温度に依存することなく、過熱検知素子で迅速に検知される。【選択図】図５
2018004194.tif 000002
【特許請求の範囲】
【請求項１】
壁に取付けられる筐体と、この筐体の下部に設けられるヒーターとを備えている壁掛型暖房機において、
前記筐体は、前記壁に当てられるケース本体と、このケース本体の上半部から室内へ延びているサブケースと、このサブケースの前面を覆う前カバーとからなり、
前記ケース本体の下部と前記サブケースの底とで、前記ヒーターの収納部及び前記ヒーターに付属する反射板の収納部を形成し、
前記反射板の上縁に沿った位置にて前記サブケースの底に、通孔が設けられており、
前記サブケース内で且つ前記通孔の上方に、過熱状態を検知し前記ヒーターへの給電を停止する過熱検知素子が配置されていることを特徴とする壁掛型暖房機。
【請求項２】
前記反射板は、上部に、室内に向かって斜めに上昇するガイド部を一体的に備えており、前記反射板の反射面に沿って上昇する熱気が前記ガイド部で前記通孔へ案内されるように構成したことを特徴とする請求項１記載の壁掛型暖房機。
【請求項３】
前記過熱検知素子は、前記通孔の前記壁側の縁に沿って立ち上がる支持板に取付けられていることを特徴とする請求項１又は請求項２記載の壁掛型暖房機。
【請求項４】
前記過熱検知素子は、前記ヒーターへの給電回路中に設けられたサーモスタットであることを特徴とする請求項１〜３のいずれか１項記載の壁掛型暖房機。
【請求項５】
前記通孔は、前記サブケースの底の前縁に、室内へ開口するように切欠き穴状に形成されていることを特徴とする請求項１〜４のいずれか１項記載の壁掛型暖房機。
【請求項６】
前記筐体に送風機構が内蔵され、前記反射板に前記送風機構で供給される空気を吹き出す空気吹き出し口が設けられていることを特徴とする請求項１〜５のいずれか１項記載の壁掛型暖房機。
【発明の詳細な説明】
【技術分野】
【０００１】
本発明は、脱衣場に好適な壁掛型暖房機に関する。
【背景技術】
【０００２】
冬期には、浴室に付属する脱衣場も低温になる。脱衣場では、衣服を脱ぐため、体温の低下が心配される。寒冷地では、脱衣場に本格的な暖房設備が施されるが、寒冷地以外（非寒冷地）では脱衣場に本格的な暖房設備を設けることは多くない。
生活様式の変化に伴って、非寒冷地であっても簡便な暖房機の設置が望まれる。
そこで、脱衣場に適した簡便な暖房機が各種提案されている（例えば、特許文献１（図２、図３）参照）。
【０００３】
特許文献１の図２に示されるように、壁（Ａ）（括弧付き文字又は数字は、特許文献１に記載された符号を示す。以下同様）に掛けられる壁掛型暖房機は、上部に送風ファン（１３）を内蔵し、下部で且つ室内側に棒状のヒーター（５）及び湾曲状の反射板（７）を備えている。ヒーター（５）に通電するとヒーター（５）は赤外線を発射し、一部は直接室内へ照射され、残部は反射板（７）で反射され、反射された赤外線が室内へ照射される。
【０００４】
何らかの理由でヒーター（５）等が過熱状態になると、樹脂製の筐体が熱で変形するため、対策として送風ファン（１３）で空気流れを発生し、筐体の温度を適温に保つようにしている。何らかの理由としては、長年の使用で反射板（７）が汚れて、反射率が低下することが考えられる。反射率が低下すると、反射板（７）が蓄熱し、高温になり、放置すると過熱状態になる。
【０００５】
しかし、送風ファン（１３）が運転されるにも拘わらず過熱状態になる心配があるため、反射板（７）と送風ファン（１３）の間、すなわち筐体の内部に温度センサー（１９）が配置されている。温度センサー（１９）で検知した温度が、例えば７０℃に達したらヒーター（５）への給電を停止する。この状態で、送風ファン（１３）は廻し続ける。温度センサー（１９）で検知した温度が、例えば４０℃に達したら送風ファン（１３）を止める。
以上により、筐体の熱変形が防止される。
【０００６】
ところで、壁掛型暖房機を、浴室に併設した脱衣場に設けた場合には、次に述べる不具合が発生する。
脱衣場では脱いだ衣服を置くためにロッカーが設けられる。入浴者が旅行者である場合、鞄やスーツケースなどの比較的大きな荷物をロッカーの上に置くことが想定される。すると、人と壁掛型暖房機の間が荷物で遮られることになる。
【０００７】
加えて、入浴中は脱衣場が無人になることが多い。
このような特殊な場所に設けられる壁掛型暖房機は、より迅速な異常検知が求められところであるが、無人であったり、荷物で遮られることで、異常検知が遅れる。
【０００８】
さらに加えて、特許文献１の壁掛型暖房機では、樹脂製筐体の保護に主眼が置かれているため、温度センサー（１９）は、筐体の温度を主として検知する。詳しく述べると、特許文献１の図２において、ヒーター（５）等が異常高温になった場合、反射板（７）が高温になり、反射板（７）の背面から発射される輻射熱が温度センサー（１９）に照射される。しかし、温度センサー（１９）は自身が輻射熱を周囲の樹脂製筐体に与えるため、温度上昇は緩慢となる。したがって、周囲の樹脂製筐体が７０℃近傍に達するまでは温度センサー（１９）は異常を検知しない。結果、特許文献１での温度センサー（１９）の配置では、異常検知が遅れる。
【０００９】
以上の知見から、脱衣場という特殊な場所に置かれる壁掛型暖房機として、より迅速に異常過熱を検知する構造が求められる。
【先行技術文献】
【特許文献】
【００１０】
【特許文献１】特開２００５−１０６３７２号公報
【発明の概要】
【発明が解決しようとする課題】
【００１１】
本発明は、脱衣場という特殊な場所に置けるように、より迅速に異常過熱を検知することができる壁掛型暖房機を提供することを課題とする。
【課題を解決するための手段】
【００１２】
請求項１に係る発明は、壁に取付けられる筐体と、この筐体の下部に設けられるヒーターとを備えている壁掛型暖房機において、
前記筐体は、前記壁に当てられるケース本体と、このケース本体の上半部から室内へ延びているサブケースと、このサブケースの前面を覆う前カバーとからなり、
前記ケース本体の下部と前記サブケースの底とで、前記ヒーターの収納部及び前記ヒーターに付属する反射板の収納部を形成し、
前記反射板の上縁に沿った位置にて前記サブケースの底に、通孔が設けられており、
前記サブケース内で且つ前記通孔の上方に、過熱状態を検知し前記ヒーターへの給電を停止する過熱検知素子が配置されていることを特徴とする。
【００１３】
請求項２に係る発明では、反射板は、上部に、室内に向かって斜めに上昇するガイド部を一体的に備えており、反射板の反射面に沿って上昇する熱気がガイド部で通孔へ案内されるように構成したことを特徴とする。
【００１４】
請求項３に係る発明では、過熱検知素子は、通孔の壁側の縁に沿って立ち上がる支持板に取付けられていることを特徴とする。
【００１５】
請求項４に係る発明では、過熱検知素子は、ヒーターへの給電回路中に設けられたサーモスタットであることを特徴とする。
【００１６】
請求項５に係る発明では、通孔は、サブケースの底の前縁に、室内へ開口するように切欠き穴状に形成されていることを特徴とする。
【００１７】
請求項６に係る発明では、筐体に送風機構が内蔵され、反射板に送風機構で供給される空気を吹き出す空気吹き出し口が設けられていることを特徴とする。
【発明の効果】
【００１８】
請求項１に係る発明では、ヒーターに付属する反射板の上縁に沿った位置にて、筐体を構成するサブケースの底に、通孔が設けられており、サブケース内で且つ通孔の上方に、過熱状態を検知しヒーターへの給電を停止する過熱検知素子が配置されている。
ヒーター及び／又は反射板が高温になると、熱気が反射板に沿って上昇する。この上昇する熱気は、通孔を通って過熱検知素子に到達する。すなわち、熱気は直接過熱検知素子に到達する。ヒーター等の異常過熱は、筐体の温度に依存することなく、過熱検知素子で検知される。
よって、本発明によれば、より迅速に異常過熱を検知することができる壁掛型暖房機、すなわち、脱衣場という特殊な場所に好適である壁掛型暖房機が提供される。
【００１９】
請求項２に係る発明では、反射板は、上部に、室内に向かって斜めに上昇するガイド部を一体的に備えている。反射板の反射面に沿って上昇する熱気がガイド部で通孔へ案内されるため、より効率よく熱気を過熱検知素子へ導くことができる。
【００２０】
請求項３に係る発明では、過熱検知素子は、通孔の壁側の縁に沿って立ち上がる支持板に取付けられている。通孔を通る熱気は、鉛直の支持板に沿って上昇するため、さらに効率よく熱気を過熱検知素子へ導くことができる。
【００２１】
請求項４に係る発明では、過熱検知素子は、ヒーターへの給電回路中に設けられたサーモスタットである。サーモスタットは、汎用品であり、安価である。結果、壁掛型暖房機の製造コストを低減することができる。
【００２２】
請求項５に係る発明では、通孔は、サブケースの底の前縁に、室内へ開口するように切欠き穴状に形成されている。通孔をサブケースの底の中央に設ける場合に比較して、前縁に切欠き穴状に形成した方が、樹脂射出形成に供する金型の構造が簡単になり、製造コストを下げることができる。
【００２３】
請求項６に係る発明では、筐体に送風機構が内蔵され、反射板に送風機構で供給される空気を吹き出す空気吹き出し口が設けられている。本発明は、ヒーターに加えて送風機構を備える壁掛型暖房機にも好適である。ヒーター通電中は、送風機構を運転することを基本とするが、何らかの理由で送風機構に不具合が発生することは皆無ではない。
送風機能に不具合が発生した場合に、ヒーター及び／又は反射板の温度が急激に上昇することが心配されるが、本発明によれば、筐体の温度上昇を待つことなく、過熱状態を迅速に過熱検知素子で検知し、通電を停止するなどの処置を講じさせることができる。
【図面の簡単な説明】
【００２４】
【図１】（ａ）は本発明に係る壁掛型暖房機の正面図、（ｂ）は（ａ）のｂ矢視図である。
【図２】図１（ｂ）の２−２線断面図である。
【図３】図２の３−３線断面図である。
【図４】図１（ｂ）の４−４線断面図である。
【図５】通孔及び過熱検知素子の作用図である。
【発明を実施するための形態】
【００２５】
本発明の実施の形態を添付図に基づいて以下に説明する。なお、図面は符号の向きに見るものとする。
【実施例】
【００２６】
図１（ａ）は壁掛型暖房機１０の正面図、（ｂ）は（ａ）のｂ矢視図を示す。
図１（ｂ）に示すように、壁掛型暖房機１０は、側面視で前面１１と天井面１２と背面１３とからなる三角形形状を呈し、背面１３が壁に取付けられる面である。天井面１２は水平面ではなく室内側へ傾斜した傾斜面である。前面１１は加熱面であり、湾曲面である。そして、端面は網板１４で塞がれている。
【００２７】
図１（ａ）に示すように、壁掛型暖房機１０は横長の箱体であり、横に延びる第１ヒーター１５と、この第１ヒーター１５より下位に配置される第２ヒーター１６を備えている。
【００２８】
なお、この例では２本のヒーター１５、１６を備えたが、ヒーターは１本又は３本以上であっても良く、本数は任意である。
また、ヒーター１５、１６は水平に延びる棒状ヒーターが好ましいが、横長の面状ヒーターであってもよい。
第１ヒーター１５と第２ヒーター１６との間に、水平に延びる空気吹き出し口１７、１７が設けられている。
【００２９】
図１（ｂ）の２−２線断面図を、図２に示す。
図２に示すように、第１ヒーター１５より上方で且つ左右方向での中心１８よりも、向かって左側に過熱検知素子２１が設けられている。また、第１ヒーター１５より上方で且つ中心１８よりも、向かって右側に制御基板２２が設けられている。この制御基板２２に、制御部２３が含まれる。
【００３０】
図２の３−３線断面図を図３に示す。
図３に示すように、壁掛型暖房機１０の主要素である筐体２４は、壁側に配置されるケース本体２５と、このケース本体２５の上部に且つ室内側に付設されるサブケース２６と、このサブケース２６の室内側面を覆う前カバー２７とからなる。
【００３１】
ケース本体２５は、略Ｌ字断面の下部２５ａと、この下部２５ａの上端に繋がり、室内側に開いている半割筒部２５ｂと、この半割筒部２５ｂの上端から上に延びる縦壁部２５ｃと、この縦壁部２５ｃの上端から壁側に延びる傾斜部２５ｄと、この傾斜部２５ｄの壁側端部に設けた段部２５ｅと、この段部２５ｅの上端から壁側に延びる水平部２５ｆとを備えている。
【００３２】
サブケース２６は、底２６ａと、この底２６ａより上に設けられ壁側に開いている半割筒部２６ｂと、この半割筒部２６ｂから室内側へ水平に延びる第１リブ２６ｃ、第２リブ２６ｄ、第３リブ２６ｅと、半割筒部２６ｂの上端から上へ延びる壁部２６ｆと、この壁部２６ｆから室内側へ水平に延びる第４リブ２６ｇとを備えている。
【００３３】
サブケース２６の底２６ａには、上下に貫通する通孔２９が設けられている。通孔２９は、底２６ａの途中に設けてもよいが、この例では前縁に室内側へ開口するように形成されている。すなわち、通孔３９ａは底２６ａに切欠き穴状に形成されている。通孔２９をサブケース２６の底２６ａの中央に設ける場合に比較して、前縁に切欠き穴状に形成した方が、樹脂射出形成に供する金型の構造が簡単になり、製造コストを下げることができる。
【００３４】
前カバー２７は、室内側の面である前面１１と、天井側の面である天井面１２を有するカバーであり、制御基板（図２、符号２２）や過熱検知素子２１を保守、点検できるように、サブケース２６に対して開閉可能とされる。閉じ状態では、ケース本体２５の傾斜部２５ｄに、前ケース２７の天井面１２が載っている。載っているため、傾斜部２５ｄと天井面１２との間に、僅かな隙間Ｃ１が不可避的に発生する。同様に、前ケース２７の天井面１２とケース本体２５の段部２５ｅとの間に、僅かな隙間Ｃ２が不可避的に発生する。
【００３５】
以上に説明したように、筐体２４は、壁に当てられるケース本体２５と、このケース本体２５の上半部から室内へ延びているサブケース２６と、このサブケース２６の前面を覆う前カバー２７とからなり、ケース本体２５の下部２５ａとサブケース２６の底２６ａとで、ヒーター１５、１６及び反射板３０の収納部を形成した。
【００３６】
そして、通孔２９の壁側の縁２９ａに沿って鉛直線２９ｂを引く。第２〜第４リブ２６ｄ、２６ｅ、２６ｇの室内側端は、この鉛直線２９ｂに概ね揃うように形成されている。
そして、縁２９ａと第２リブ２６ｄに、支持板３７が渡され、この支持板３７の室内側面に過熱検知素子２１が取付けられる。支持板３７の材質は、は強度の点から金属が望ましいが、樹脂であってもよい。
【００３７】
過熱検知素子２１は、温度センサーであって、温度信号を発することができれば、種類は問わない。
温度センサーとして半導体センサーの一種であるサーミスター、金属抵抗温度センサー、熱電対、サーモスタットが採用できる。
サーミスターは、電気抵抗値と温度とに相関がある半導体であり、例えば、チタン酸ベリリウム系半導体磁器である。
【００３８】
金属抵抗温度センサーは、電気抵抗値と温度とに相関がある金属であり、例えば、白金抵抗体、金抵抗体、銀抵抗体、銅抵抗体である。
熱電対は、異種金属同士を接合した対であり、温度に応じた起電力を発生する。
以上のサーミスター、金属抵抗温度センサー、熱電対では、温度を電気信号に変換し、この電気信号を制御部（図２、符号２３）へ入力し、制御部で給電中断指令を発する。
【００３９】
対して、サーモスタットは第１・第２ヒーター１５、１６への給電回路を直接断接する。すなわち、サーモスタットは、二種以上の異種金属を貼り合わせたバイメタルを要素とする。熱膨張の差によりバイメタルが変形する。この変形をスイッチングに利用することで、給電回路を直接断接することができ、第１・第２ヒーター１５、１６への給電状態を検知する回路を別途設けることによってサーモスタットが作動して給電遮断状態になっているかどうかを検知することができる。
【００４０】
ただし、サーモスタットで複数の温度を計測することはできない。過熱状態で給電を中断するだけである。反面、サーモスタットは原理が単純で、格別の制御が不要であるため、安価である。そのため、過熱検知素子２１としてサーモスタットが好んで採用される。  なお、サーモスタットを採用した場合には、壁掛型暖房機１０に供給される大元の給電回路を断接する位置にこのサーモスタットを配設するようにして、第１・第２ヒーター１５、１６への給電回路を断接する構成としてもよい。
【００４１】
２つの半割筒部２５ｂ、２６ａで後述する送風機構を収納する収納部及び導風トンネル２８Ｌを形成する。壁部２６ｆは縦壁部２５ｃに重ねられ、相互の上端位置は同一高さである。
【００４２】
第１ヒーター１５は、半割筒部２５ｂ、２６ａのほぼ下方に配置される。第１ヒーター１５の中心を通り壁に近づくように斜めに下がる斜線Ｌ１を想定する。第２ヒーター１６は、第１ヒーター１５の下方に且つ斜線Ｌ１上に配置される。
斜線Ｌ１の水平線に対する傾斜角θは、この例では４０°である。θは３５°〜５０°の範囲から任意に設定可能である。ただし、θが小さいほど、加熱面を床に平行にさせることができ、壁掛型暖房機１０の高さ寸法を小さくすることができる。
【００４３】
第１・第２ヒーター１５、１６に、Ｗ字断面を呈する反射板３０が付設される。反射板３０は、第１水平面３２と、この第１水平面３２の後端から下がる第１下がり面３３と、この第１下がり面３３の下端から斜線Ｌ１にほぼ沿って延びる傾斜面３４と、この傾斜面３４の後端から壁側へ延びる第２水平面３５と、この第２水平面３５の後端から下がる第２下がり面３６とを有する。断面位置の関係で、図１で説明した空気吹き出し口１７は図３には示されないが、空気吹き出し口１７は傾斜面３４に設けられる。
【００４４】
そして、反射板３０は、上部に、室内に向かって斜めに上昇するガイド部３１を一体的に備えている。ガイド部３１の先端（室内側端）は、通孔２９の壁側の縁２９ａ近傍まで延びている。すなわち、反射板３０の反射面（室内側面）に沿って上昇する熱気がガイド部３１で通孔２９へ案内されるように構成されている。
【００４５】
図１（ｂ）の４−４線断面図を図４に示す。
図４に示すように、筐体２４の上部に、ファン収納部３８と導風トンネル２８Ｌ、２８Ｒ（Ｌは室内から見て左、Ｒは同右を示す添え字である。）とが形成される。ファン収納部３８に、送風機構４０が収納される。送風機構４０は、ファンモータ４１とこのファンモータ４１で回されるシロッコファン４２Ｌ、４２Ｒが好適である。シロッコファン４２Ｌ、４２Ｒは、円筒に多数の細長い羽根を設けたファンである。ファンは回転体であるため、中心のファン軸４３Ｌ、４３Ｒをファン収納部３８に設けた軸受４４Ｌ、４４Ｒで支える。ファン収納部３８のシロッコファン４２Ｌ、４２Ｒに対応する位置の下方は、風路（図示せず）を介して反射板３０の背面に連通している。
【００４６】
ファンモータ４１でシロッコファン４２Ｌ、４２Ｒを回すと、シロッコファン４２Ｌ、４２Ｒ内が大気圧より低圧になる。そのため、網板１４、１４を通って室内の空気がシロッコファン４２Ｌ、４２Ｒ内に進入する。シロッコファン４２Ｌ、４２Ｒで遠心力が付与され、空気が大気圧以上に加圧され、この空気が風路を介して反射板３０の背面に送風され、反射板３０とケース本体２５との間の隙間および空気吹き出し口１７、１７から室内に緩やかに吹き出され、第１・第２ヒーター１５、１６の背面側の過熱が防止される。
【００４７】
室温センサー４６は室温を測定するセンサーであり、この例では、室温センサー４６は向かって右の導風トンネル２８Ｒ内に且つ網板１４の近傍に配置される。すなわち、室温センサー４６は導風トンネル２８Ｒの入口に配置される。室温センサー４６で室温としての吸入空気の温度を常に測定する。
【００４８】
以上の構成からなる壁掛型暖房機１０の作用を図５に基づいて説明する。
以下、反射板３０の反射面が綺麗なときの作用と、反射板３０の反射面が汚れているときの作用と、送風機構４０に何らかの理由で不具合が発生したときの作用とを、順に説明する。
【００４９】
送風機構４０の不具合は種々あるが、以下の事例が想定される。
図４において、ファンモータ４１のモータ軸とシロッコファン４２Ｌ、４２Ｒの軸とは、ピンなどで機械的に連結されているが、機械的疲労や過負荷により機械的連結が破壊されることがある。すると、ファンモータ４１は回っているが、シロッコファン４２Ｌ、４２Ｒが回らずに、所定の風量を発生し得ないことが想定される。機械的連結は健全であるが、シロッコファン４２Ｌ、４２Ｒを構成する羽根が脱落して所定の風量を発生し得ないことも想定される。なお、ファンモータ４１の異常はサーキットブレーカー等で監視することができるため、ここでは除外する。
【００５０】
○反射板３０の反射面が綺麗なとき：
図５に示すように、第１・第２ヒーター１５、１６から赤外線５１、５１が室内へ照射される。加えて、反射板３０で反射された反射赤外線５２、５２が室内へ照射される。
並行して、下位の第２ヒーター１６で周囲の空気が暖められ、発生した熱気は矢印（１）のように上昇する。
矢印（１）の熱気に、第１ヒーター１５で発生した熱気が合流する。
【００５１】
矢印（２）で示すように、合流した熱気が第１水平面３２、ガイド部３１に沿って移動し、通孔２９に至り、この通孔２９を通って前カバー２７内へ進入し、支持板３７に沿って上昇し、過熱検知素子２１に到る。過熱検知素子２１の外周面を流れた熱気は、矢印（３）のように上昇し、矢印（４）のように隙間Ｃ１及び隙間Ｃ２を通って上方へ排出される。
【００５２】
反射板３０は綺麗で反射率が高いため、それほど温度上昇はしない。加えて、送風機構４０で適度に冷却されることで、温度は下げられる。
したがって、矢印（２）に示す熱気の温度は、低くなり、過熱検知素子２１で異常が検知されることはない。
【００５３】
○反射板３０の反射面が汚れているとき：
図５にて、反射板３０の反射率が下がるため、反射赤外線５２が弱まる。弱まった分だけ、熱が籠もり、反射板３０が高温になる。反射板３０に蓄熱されるとも考えられる。
すると、矢印（２）に示す熱気の温度は、高くなり、過熱検知素子２１で異常が検知される。
【００５４】
比較のために、通孔２９が塞がっている場合（通孔２９が設けられていない場合）を検討する。
反射板３０が汚れているため、反射板３０が高温になり、この反射板３０でサブケース２６の底２６ａやケース本体２５の下部２５ａが加熱される。熱は底２６ａ→半割筒部２６ｂ→壁部２６ｆ、リブ２６ｃ、２６ｄ、２６ｅ、２６ｇのように伝わり、サブケース２６は全体的に温度が上がる。ケース本体２５も同様である。
【００５５】
熱の伝わり方は、輻射と対流と熱伝導の３種類に区分されることが知られている。通孔２９が塞がっている場合（通孔２９が設けられていない場合）は、熱伝導により熱が伝わり、筐体２４が全体的に暖まった後に、過熱検知素子２１で異常が検知されるため、検知までの時間が長くなる。
【００５６】
対して、本発明では、矢印（２）の熱気が、対流により過熱検知素子２１を直接暖めるため、筐体２４の温度に関係なく、過熱検知素子２１は異常を迅速に検知する。この検知により、ヒーター１５、１６への給電を停止することで、筐体２４の変形等が防止される。
【００５７】
○送風機構４０に不具合が発生したとき：
図５にて、反射板３０が綺麗であっても、反射板３０を冷却していた送風が止まる（又は風量が減少する）と、反射板３０の温度が上がる。矢印（２）の熱気が高温になり、過熱検知素子２１に到達する。結果、過熱検知素子２１は異常過熱を検知して、ヒーター１５、１６への給電を停止する。
【００５８】
以上の説明から明らかなように、本発明によれば、より迅速に異常過熱を検知することができる壁掛型暖房機１０、すなわち、脱衣場という特殊な場所に好適である壁掛型暖房機１０が提供される。
【００５９】
次に、本実施例の構造的利点を補足説明する。
反射板３０は、単純は円弧断面板でもよいが、図３に示すような階段状の形態が推奨される。すなわち、図５にて、矢印（１）の熱気は、全てが傾斜面３４、第１下がり面３３及び第１水平面３２を通って通孔２９に向かう。熱気の拡散がないため、過熱検知素子２１の検知精度を高めることができるからである。
【００６０】
また、ガイド部３１は省くこともできるが、設けた方が矢印（２）の熱気を効率よく通孔２９へ導くことができる。
また、支持板３７は省くこともできるが、省いた場合には、矢印（２）のうち、前カバー２７内部の流れが拡散し、過熱検知素子２１の検知が遅れる。そのため、支持板３７を設けることが望まれる。
【００６１】
図５において、矢印（２）の流れを確保するためには、矢印（３）、（４）の流れが必須となる。流れの何処かに渋滞があると、健全な流れが維持できなるからである。
そこで、図５において、前カバー２７がケース本体２５に密に取付けられ、隙間Ｃ１、Ｃ２が確保できない場合には、前カバー２７に適当な通孔を設ける必要がある。
【００６２】
ただし、設けた通孔からゴミや異物が筐体２４内へ落下することが懸念される。
この点、本実施例では、迷路（ラビリンス）構造のように、隙間Ｃ１、Ｃ２を設けたので、前カバー２７の開閉性能を維持しつつ、矢印（４）の流れを確保することができる。迷路（ラビリンス）構造であるため、ゴミや異物が筐体２４の内部に入る心配はない。
【００６３】
また、図５において、リブ２６ｅやリブ２６ｇを省くことは可能である。しかし、リブ２６ｅやリブ２６ｇを省くと、矢印（３）の流れが斜め、すなわち、過熱検知素子２１と隙間Ｃ１の入口とを結んだ斜めの線に沿って流れる。この斜めの流れは矢印（２）の流れに影響する。この点、本実施例では、リブ２６ｅやリブ２６ｇを設けたため、過熱検知素子２１に沿って流れる熱気の流線を鉛直向きすることができ、効果的に熱気を過熱検知素子２１に当てることができる。
【００６４】
また、図２において、通孔２９及び過熱検知素子２１を任意の位置、例えば中心１８付近に設けることは差し支えない。しかし、制御基板２２は、熱に弱い。
本実施例では中心１８を基準に、向かって左に通孔２９及び過熱検知素子２１を配置し、向かって制御基板２２を配置することで、通孔２９から十分に離れた位置に熱に弱い制御基板２２を設けた。結果、制御基板２２が熱的影響を受けにくくすることができる。
【００６５】
また、本発明の壁掛型暖房機１０は、脱衣場に好適であるが、脱衣場の他、休息室や洗濯物乾燥室など、無人である割合が高い部屋に設けることもできる。
【産業上の利用可能性】
【００６６】
本発明は、脱衣場に設ける壁掛型暖房機に好適である。
【符号の説明】
【００６７】
１０…壁掛型暖房機、１６、１７…ヒーター、１７…空気吹き出し口、２１…過熱検知素子、２４…筐体、２５…ケース本体、２５ａ…ケース本体の下部、２６…サブケース、２６ａ…サブケースの底、２７…前カバー、２９…通孔、２９ａ…通孔の壁側の縁、３０…反射板、３１…ガイド部、３７…支持板、４０…送風機構。
【図１】
2018004194.tif 000003
【図２】
2018004194.tif 000004
【図３】
2018004194.tif 000005
【図４】
2018004194.tif 000006
【図５】
2018004194.tif 000007